【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
遠隔装置充電式電源を持つ遠隔装置のためのアダプタであって、
非接触電源から電力を受け取るための非接触電源インターフェース、
前記遠隔装置充電式電源に電力を供給するための電力調整器、及び、
前記アダプタに電力を供給するための充電式電源、
を備えることを特徴とするアダプタ。
【請求項２】
前記非接触電源と通信するための送受信機、
をさらに備えることを特徴とする請求項1に記載のアダプタ。
【請求項３】
前記電力調整器を制御する制御装置、
をさらに備えることを特徴とする請求項2に記載のアダプタ。
【請求項４】
前記遠隔装置と通信するための通信リンク、
をさらに備えることを特徴とする請求項3に記載のアダプタ。
【請求項５】
前記非接触電源インターフェースが、インピーダンスを持つ可変インピーダンス要素を含む
ことを特徴とする請求項4に記載のアダプタ。
【請求項６】
前記制御装置は、前記可変インピーダンス要素に結合され、前記可変インピーダンス要素の前記インピーダンスを変化させることができる
ことを特徴とする請求項5に記載のアダプタ。
【請求項７】
前記可変インピーダンス要素が可変インダクタである
ことを特徴とする請求項6に記載のアダプタ。
【請求項８】
前記制御装置が、前記非接触電源からの指示に応じて、前記可変インダクタの前記インピーダンスを変化させる
ことを特徴とする請求項7に記載のアダプタ。
【請求項９】
前記アダプタが二次巻線を含む
ことを特徴とする請求項8に記載のアダプタ。
【請求項１０】
前記制御装置がメモリに結合される
ことを特徴とする請求項9に記載のアダプタ。
【請求項１１】
前記メモリが識別子を含む
ことを特徴とする請求項10に記載のアダプタ。
【請求項１２】
前記アダプタは、前記遠隔装置からの電力要求を獲得することができる
ことを特徴とする請求項11に記載のアダプタ。
【請求項１３】
遠隔装置充電式電源を持つ遠隔装置への接続のためのアダプタであって、
非接触電源から電力を受け取るための非接触電源インターフェース、
前記遠隔装置充電式電源を充電するために、電力を前記遠隔装置に供給するための電力調整器、及び、
前記非接触電源と通信するための受信機、
を備えることを特徴とするアダプタ。
【請求項１４】
二次巻線をさらに備えることを特徴とする、請求項13に記載のアダプタ。
【請求項１５】
電源をさらに備えることを特徴とする、請求項14に記載のアダプタ。
【請求項１６】
前記電力調整器を制御する制御装置、
をさらに備えることを特徴とする請求項15に記載のアダプタ。
【請求項１７】
前記遠隔装置と通信するための通信リンク、
をさらに備えることを特徴とする請求項16に記載のアダプタ。
【請求項１８】
前記非接触電源インターフェースが可変インピーダンス要素を含む
ことを特徴とする請求項17に記載のアダプタ。
【請求項１９】
前記制御装置が、前記可変インピーダンス要素に結合され、前記可変インピーダンス要素の前記インピーダンスを変化させることができる
ことを特徴とする請求項18に記載のアダプタ。
【請求項２０】
前記可変インピーダンス要素が可変インダクタである
ことを特徴とする請求項19に記載のアダプタ。
【請求項２１】
前記制御装置が、前記非接触電源からの指示に応じて、前記可変インダクタの前記インピーダンスを変化させる
ことを特徴とする請求項20に記載のアダプタ。
【請求項２２】
前記制御装置がメモリに結合される
ことを特徴とする請求項21に記載のアダプタ。
【請求項２３】
非接触電源からの電力を持つ遠隔装置で含有される遠隔装置充電式電源を充電するためのアダプタを作動させる方法であって、
前記遠隔装置充電式電源で前記遠隔装置からの充電情報を獲得し、
前記充電情報を前記非接触電源に提供し、かつ、
前記時遠隔装置充電式電源を充電するために前記遠隔装置に電力を供給する
ステップを含むことを特徴とする方法。
【請求項２４】
前記非接触電源が前記遠隔装置から電力要求情報を受け取る
ステップをさらに含むことを特徴とする請求項23に記載の方法。
【請求項２５】
前記アダプタと前記非接触電源との間で、第一の通信リンクを確立する
ステップをさらに含み、前記アダプタが、前記非接触電源と通信するための第一の送受信機を有する
ことを特徴とする請求項24に記載の方法。
【請求項２６】
前記アダプタが、前記遠隔装置からの前記電力要求情報を、前記第一の通信リンクを介して送信する
ことを特徴とする請求項25に記載の方法。
【請求項２７】
前記アダプタと前記遠隔装置との間で、第二の通信リンクを確立する
ステップをさらに含み、前記アダプタが、前記遠隔装置と通信するための第二の送受信機を有する
ことを特徴とする請求項26に記載の方法。
【請求項２８】
前記アダプタが、前記第二の通信リンクを介して、前記非接触電源に前記電力要求情報を送信する
ステップをさらに含むことを特徴とする請求項27に記載の方法。
【請求項２９】
前記アダプタが、非接触電源インターフェースを含み、
前記非接触電源インターフェースが、可変要素を持ち、
前記可変要素についての最適な設定を定める
ステップをさらに含むことを特徴とする請求項28に記載の方法。
【請求項３０】
前記可変要素が可変インダクタであり、
前記可変要素についての最適な設定を定めるステップが、前記可変インダクタについての最適なインダクタンス設定を定めることを含む、
ことを特徴とする請求項29に記載の方法。
【請求項３１】
前記充電式電源が充電されたかどうかを定める
ステップをさらに含むことを特徴とする請求項30に記載の方法。
【請求項３２】
非接触電源から遠隔装置へ電力を供給するためのアダプタであって、
前記遠隔装置は充電式電源を有しており、
各コイルが実質的に他のコイルと互いに直交している第一コイル、第二コイル、及び第三コイルを持つ二次巻線、
前記アダプタに電力を供給する電源機構、及び
前記充電式電源に電力を供給する電力調整器、
を備えることを特徴とする、アダプタ。
【請求項３３】
前記第一コイルと結合された第一コンデンサ、
前記第二コイルと結合された第二コンデンサ、及び、
前記第三コイルと結合された第三コンデンサ、
をさらに備えることを特徴とする請求項32に記載のアダプタ。
【請求項３４】
前記二次巻線で誘導されたAC信号をDCに変換するために、前記二次巻線に結合された整流器、
をさらに備えることを特徴とする請求項33に記載のアダプタ。
【請求項３５】
前記整流器が半波整流器である
ことを特徴とする請求項34に記載のアダプタ。
【請求項３６】
前記整流器が全波整流器である
ことを特徴とする請求項34に記載のアダプタ。
【請求項３７】
前記整流器が、前記第一コイルと直列な第一ダイオード、前記第二コイルと直列な第二ダイオード、及び前記第三コイルと直列な第三ダイオードから構成される
ことを特徴とする請求項34に記載のアダプタ。
【請求項３８】
前記第一コンデンサが、前記第一コイル及び前記第一ダイオードと直列であり、前記第二コンデンサが、前記第二コイル及び前記第二ダイオードと直列であり、前記第三コンデンサが、かつ、前記第三コイル及び前記第三ダイオードと直列である
ことを特徴とする請求項37に記載のアダプタ。
【請求項３９】
前記第一コイルと直列な第四ダイオード、
前記第二コイルと直列な第五ダイオード、及び、
前記第三コイルと直列な第六ダイオード、
をさらに備えることを特徴とする請求項38に記載のアダプタ。
【請求項４０】
取り外し可能な電源を持つ遠隔装置のためのアダプタであって、
前記取り外し可能な電源の電気コネクタと同じ構成で配置された電気コネクタ、
前記遠隔装置に電源を供給するために前記電気コネクタに接続される充電式電源、
非接触電源から電力を受け取る二次巻線であって、３つの直交する巻線を有する二次巻線、及び
前記充電式電源及び前記二次巻線に結合された充電回路、
を備えることを特徴とするアダプタ。
【請求項４１】
前記遠隔装置と前記非接触電源との間の通信をイネーブルにするための送受信機、
をさらに備えることを特徴とする請求項40に記載のアダプタ。
【請求項４２】
前記送受信機を前記遠隔装置上の通信ポートに接続するために、前記送受信機に接続されたドングル、
をさらに備えることを特徴とする請求項41に記載のアダプタ。
【請求項４３】
前記通信ポート内への挿入のために、前記ドングルに接続されたドングルコネクタ、  をさらに備えることを特徴とする請求項42に記載のアダプタ。